(57)【要約】      （修正有）【課題】長い２つの穴の食い違いを容易に修正できる拡張用ドリルを提供する。【解決手段】先端に切刃１４を有するテーパ部１６は、ランド部２０と溝部２２とを中心軸の周りに交互に有し、ランド部２０及び溝部の中心軸に対する距離は、先端から後方に向かうに従ってそれぞれ大きくなっている。ランド部２０には、中心軸に対して傾斜したテーパ切刃１８が形成されている。テーパ部１６の後端に本体延長部２４が形成されている。本体延長部２４も、上記中心軸線の周りに延長ランド部２６と延長溝部２８とを交互に有し、これらの上記中心軸に対する距離がどの位置でも一定である。延長ランド部２６には、上記中心軸に対して平行な延長切刃３０が形成されている。本体延長部２４の後端に、長尺の延長部４、６を介してドリル結合用のシャンク部８が形成されている。【選択図】図２
0003223169.tif 000002
【実用新案登録請求の範囲】
【請求項１】
中心軸の周りにランド部と溝部とを交互に有し、前記ランド部及び溝部の前記中心軸に対する距離が、先端から後方に向かうに従ってそれぞれ大きくなり、前記ランド部には、中心軸に対して傾斜したテーパ切刃が形成されているテーパ部と、
このテーパ部の後端に形成され、前記中心軸の周りに延長ランド部と延長溝部とを交互に有し、前記延長ランド部の前記中心軸に対する距離がどの位置でも一定で、前記ランド延長部に、前記中心軸に対して平行な延長切刃が形成されている本体延長部と、
前記本体延長部の後端につながっているドリル結合用のシャンク部とを、
有する拡張用ドリル。
【請求項２】
請求項１記載の拡張用ドリルにおいて、前記延長溝部は、前記溝部と連続的に形成されており、前記テーパ切刃は、前記延長切刃と連続的に形成されている拡張用ドリル。
【請求項３】
請求項１または２記載の拡張用ドリルにおいて、前記本体延長部と前記シャンク部との間に、棒状の延長部が設けられている拡張用ドリル。
【考案の詳細な説明】
【技術分野】
【０００１】
本考案は、長い貫通穴を両側から形成した場合に生じる穴のずれを補正するための拡張ドリルに関する。
【背景技術】
【０００２】
長い穴を形成する場合には、深穴用ドリルを使用することがある。深穴用ドリルの１例が特許文献１に開示されている。この深穴用ドリルは、一般的なドリルにおいて、その切刃部分に、中心から外周に向かって適数段の段差部分を形成して、順に外周側を低くすることによって、切刃部分を全体で適数段の段差切れ刃部分に、形成したものである。
【先行技術文献】
【特許文献】
【０００３】
【特許文献１】実開平４−３５８１２号
【考案の概要】
【考案が解決しようとする課題】
【０００４】
この深穴用ドリルでは、切れ刃のはけが良好になるが、通常ドリルに比べて全長が長いので、刃先の振動によるチッピングや座屈による加工穴の曲がりが発生し易い。一般に幅寸法が長い木材に貫通した穴を形成する場合に、幅方向の両端の互いに対応した位置からそれぞれドリルによって木材の中央側に向かってそれぞれ穴を形成し、これら穴を連通させることがある。この場合、穴を開ける位置を完全に対応させていても、上述したような加工穴の曲がりが発生し、穴に食い違いが生じることがある。食い違いがあると、この穴に通す必要がある長尺のもの、例えばアンカーボルトを創通することができない。
【０００５】
本考案は、穴の食い違いを容易に解消することができる拡張用ドリルを提供することを目的とする。
【課題を解決するための手段】
【０００６】
本考案の一態様の拡張用ドリルは、テーパ部を有している。テーパ部は、ランド部と溝部とを中心軸の周りに交互に有し、ランド部及び溝部の中心軸に対する距離が、先端から後方に向かうに従ってそれぞれ大きくなる。ランドには、中心軸に対して傾斜したテーパ切刃が形成されている。このテーパ本体部の後端に本体延長部が形成されている。本体延長部も、上記中心軸線の周りに延長ランド部と延長溝部とを交互に有し、これらの上記中心軸に対する距離がどの位置でも一定である。延長ランド部には、上記中心軸に対して平行な延長切刃が形成されている。本体延長部の後端に、ドリル結合用のシャンク部がつながっている。延長切刃は、テーパ切刃と連続して形成することもできるし、延長溝部は、テーパ本体部の溝部と連続して形成することもできる。また、本体延長部とシャンク部との間に棒状の延長部を介在させることもできる。この延長部は複数に分割形成することもできる。
【０００７】
このように構成された拡張用ドリルでは、上述したように連通しているが食い違いが生じている２つの穴のうち、例えば、一方の穴から、この拡張用ドリルを挿入し、食い違いが生じている部分をテーパ切刃によって拡張する。さらにテーパ切刃に続く本体延長部の延長切刃で切削するが、本体延長部は、どの位置が穴に接触しても中心軸までの距離が一定であるので、常に一定の切削量で切削することができ、穴を確実に所望の大きさに拡張することができる。
【考案の効果】
【０００８】
以上のように、この考案によれば、２つの長穴の食い違いを容易に修正することができる。
【図面の簡単な説明】
【０００９】
【図１】本考案の１実施形態の拡張用ドリルの部分省略側面図である。
【図２】図１の拡張用ドリルを２つに分解した状態の各部の拡大側面図及び拡大部分省略側面図である。
【図３】図２のＡ−Ａ端面図である。
【図４】図２のＢ−Ｂ端面図である。
【図５】図１の拡張用ドリルの使用状態の説明図である。
【考案を実施するための形態】
【００１０】
本考案の１実施形態の拡張用ドリルは、図１に示すように、ドリル本体部２を有し、そのドリル本体部２の後端に、ドリル本体部２の中心軸と同心に長尺の棒状の延長部４、６が設けられている。延長部６の後端部に、電気ドリルに結合するためのシャンク部８が一体に形成されている。図２（ａ）、（ｂ）に示すように、延長部４、６は別個に形成されており、延長部４はドリル本体部２の後端部に一体に形成されている。延長部４の後端に形成した雄ネジ部１０を、延長部６の前端部内に形成した雌ネジ部１２に螺合することによって両者は結合されている。この延長部４、６を設けているので、後述するように長い穴を拡張することが可能になる。
【００１１】
ドリル本体部２は、図２（ａ）に示すように、先端から後端に向かうに従って径が徐々に大きくなる概略円錐形に形成されている。ドリル本体部２の先端部には、複数、例えば３つの切刃１４が、ドリル本体の中心軸の周りに所定の角度を隔てて形成されている。
【００１２】
この切刃１４の後部にテーパ部１６が形成されている。テーパ部１６は、テーパ切刃１８を備えたランド部２０を有している。テーパ切刃１８は、各切刃１４の後端部と連続するようにランド部２０に形成されている。ランド部２０は、その中心軸に対して鋭角をなしており、テーパ切刃１８もランド部２０と同じ鋭角をなしている。ランド部２０は、この実施形態では、図３及び図４に示すように、ドリル本体２の中心軸の周りに所定の角度を隔てて、複数、例えば３つ形成されている。これらランド部１８の間に、３つの溝部２２が形成され、テーパ切刃１８による切削によって生じた切り屑を、これら溝部２２を介して外部に排出する。
【００１３】
テーパ部１６の後端部に、これらと一体に本体延長部２４が形成されている。この本体延長部２４は、テーパ部１６と同心の概略円筒状のもので、図４に示すように、３つの延長ランド部２６と、３つの延長溝部２８とを、交互に本体部２の中心軸線の周りに有している。延長ランド部２６には、テーパ切刃１８を延長した状態で、水平切刃３０が形成されている。この水平切刃２８は、本体部２の中心軸線に平行に水平に形成されており、テーパ切刃１８が本体部２の中心軸線に対して鋭角をなしているのと相違している。溝延長部２８は、溝部２２と連なって直線状に形成されている。本体延長部２４の後端に、前述した延長部４が一体に形成されている。
【００１４】
このように構成された拡張用ドリルは、雄ネジ部１０、雌ネジ部１２を使用して延長部４、６をネジ結合し、延長部６の後部のシャンク部８を電気ドリルのチャックに取り付けて、電気ドリルを回転させることによって、切削に使用される。
【００１５】
この拡張用ドリルでは、テーパ部１６のテーパ切刃１８とドリル本体部２の中心軸との間の距離は、テーパ部１６上の位置によって異なっており、その先端側から後端側に向かうに従って徐々に大きくなる。これに対し、本体延長部２４の水平切刃３０とドリル本体部２の中心軸との間の距離は、本体延長部２４のどの位置においても一定である。
【００１６】
例えば幅寸法の長い木材４０に長穴を形成する場合、図５（ａ）に示すように、木材４０の幅の両側の互いに対応する位置から中央に向けて穴４２、４４を形成するが、これら穴４２、４４が食い違っていることがある。この食い違いによって、これら穴４２、４４に挿通する必要のある長尺の金物、例えばアンカーボルトを、挿通することができないことがある。このような場合、同図（ｂ）に示すように、一方の穴、例えば穴４２の先端、即ち、食い違い部分まで拡張用ドリルを挿入する。延長部６、８が長いので、確実に食い違い部分に拡張用ドリルの先端を到達させることができる。拡張用ドリルの本体部２を先端側から徐々に食い違い部分に押しつけ穴４４側に進行させれば、ドリル本体部２のテーパ切刃１４によって徐々に食い違い部分が拡張される。
【００１７】
この拡張に続いて、テーパ切刃１４に後続し、中心軸線からの距離がどの位置でも一定である延長本体部２４の水平切刃３０によって切削が延長本体部２４の長さ寸法に渡って行われる。その結果、少なくとも延長本体部食２４の長さにわたって、延長本体部２４の径に食い違い部分が拡張される。必要があれば、この拡張用ドリルを長穴４４側にさらに進行させて、拡張する範囲を広げる。このような拡張によって、同図（ｃ）に示すように、金物、例えばアンカーボルト４６を長穴４２，４４に挿通することができる。また、延長本体部２４に、延長溝部２８を形成しているので、切り屑が溝部２２を介して外部に円滑に排出される。
【００１８】
なお、上記の説明では、穴４２側から食い違い部分を拡張するように説明したが、穴４４側から拡張用ドリルを挿入して、穴４４側から拡張することもできるし、場合によっては、穴４２、４４の両側からそれぞれ食い違い部分を拡張することもできる。
【００１９】
上記の実施形態では、ランド２０、溝部２２、延長ランド部２６、延長溝部２８とは、それぞれ３つ形成したが、その数は２つ以上の任意の数とすることができる。また、テーパ部１６の中心軸に対してなす鋭角は、切削する穴の大きさに応じて変更することが可能である。上記の実施形態では、２つの延長部４、６を設けたが、１つの延長部のみを使用することもできるし、あるいは３つ以上の延長部を使用することもできる。また、長さの異なる延長部６を複数準備し、それらのうち、穴を拡張する木材の幅寸法に応じて、必要な長さの延長部６を選択して、延長部４と結合させるようにすることもできる。上記の実施形態では、ドリル本体部２に切刃１４を設けたが、これは、この拡張用ドリルによって穴を切削する場合を考慮したもので、純粋に拡張のみに使用する場合には、切刃１４は除去することもできる。
【符号の説明】
【００２０】
２  ドリル本体部
４  ６  延長部
８  シャンク部
１６  テーパ部
１８  テーパ切刃
２０  ランド部
２２  溝部
２４  延長本体部
２６  延長ランド部
２８  延長溝部
３０  水平切刃
【図１】
0003223169.tif 000003
【図２】
0003223169.tif 000004
【図３】
0003223169.tif 000005
【図４】
0003223169.tif 000006
【図５】
0003223169.tif 000007